(57)【要約】【課題】キーワード検索により自動的に録画番組を決定する番組予約録画装置において、重複して録画した同一タイトルの番組がある場合、重複番組を整理する。【解決手段】録画した番組の番組情報に基づいて、重複して録画されている同一タイトルの複数の番組を抽出する手段（＃１６、＃１８）と、前記抽出手段により抽出された複数の番組の中で、電子番組情報に記載されていない付加情報が番組に重畳されている番組を削除する手段（＃２０、＃２２）とを具備する番組予約録画装置。【選択図】      図３
2009135606.tif 000002
【特許請求の範囲】
【請求項１】
電子番組情報に基づいて検索した番組を録画予約する機能を有する番組予約録画装置において、
録画した番組の電子番組情報に基づいて、重複して録画されている同一タイトルの複数の番組を抽出する手段と、
前記抽出手段により抽出された複数の番組の中で、電子番組情報に記載されていない付加情報が番組に重畳されている番組を削除する手段と、
を具備する番組予約録画装置。
【請求項２】
前記削除手段はテロップを含んでいる番組を削除する請求項１記載の番組予約録画装置。
【請求項３】
前記削除手段はテロップとともに挿入されているチャイムを含んでいる番組を削除する請求項１または請求項２記載の番組予約録画装置。
【請求項４】
前記削除手段は付加情報を含んでいる番組を削除した後に同一タイトルの複数の番組があれば、解像度の低い番組及び／または一部分が録画できなかった番組を削除する請求項１乃至請求項３のいずれか一項記載の番組予約録画装置。
【請求項５】
前記抽出手段と前記削除手段は一定のタイミングで周期的に動作する請求項１乃至請求項４のいずれか一項記載の番組予約録画装置。
【請求項６】
電子番組情報に基づいて所望の番組を検索し、検索した番組を録画予約する機能を有する番組予約録画方法において、
録画した番組の電子番組情報に基づいて、重複して録画されている同一タイトルの複数の番組を抽出するステップと、
前記抽出ステップにより抽出された複数の番組の中で、電子番組情報に記載されていない付加情報が番組に重畳されている番組を削除するステップと、
を具備する番組予約録画方法。
【請求項７】
前記削除ステップはテロップを含んでいる番組を削除する請求項６記載の番組予約録画方法。
【請求項８】
前記削除ステップはテロップとともに挿入されているチャイムを含んでいる番組を削除する請求項６または請求項７記載の番組予約録画方法。
【請求項９】
前記削除ステップは付加情報を含んでいる番組を削除した後に同一タイトルの複数の番組があれば、解像度の低い番組及び／または一部分が録画できなかった番組を削除する請求項６乃至請求項８のいずれか一項記載の番組予約録画方法。
【請求項１０】
前記抽出ステップと前記削除ステップは一定のタイミングで周期的に動作する請求項６乃至請求項９のいずれか一項記載の番組予約録画方法。
【発明の詳細な説明】
【技術分野】
【０００１】
本発明は電子番組表を利用する番組予約録画装置および番組予約録画方法に関する。
【背景技術】
【０００２】
テレビ放送等の番組を録画する大容量の記憶媒体を備えた記録再生装置では、キーワード、ジャンル等を指定して電子番組表から所望の番組を検索し、検索した番組を自動的に予約する機能を備えている。この場合、同じタイトルの番組が１日に複数回放送される場合や、同じタイトルの番組が異なるチャンネルで放送される場合、同じタイトルの複数の番組が録画され、記録媒体が無駄に消費されてしまう。これを防止するための種々の装置が開発されている。
【０００３】
例えば、周期的にユーザ管理データを参照し、重複する時間帯、チャンネルで録画された動画データを検出し、重複するデータについてそれぞれの解像度を検出し、解像度の低い方のデータを削除するデータベースサーバがある（例えば、特許文献１参照）。
【０００４】
また、前回録画した録画記録データと今回録画した録画記録データとの比較を行い、今回録画した結果に全く問題がない時に前回の問題のある録画データを削除し、どちらも問題がある場合の比較を行い、明らかに結果が劣ると判断できる時に録画データを削除する番組予約録画装置がある（例えば、特許文献２参照）。
【０００５】
さらに、同じ内容のコマーシャルや内容の等しいドラマのオープニング部やエンディング部分等のコンテンツの内容が等しい信号が重複して記録媒体に記録される場合、内容の等しいコンテンツの信号を容易に検出できるとともに、記録手段を効率よく利用できる信号処理方法がある（例えば、特許文献３参照）。
【特許文献１】特開２００３−１５３１５２号公報（段落００５０）
【特許文献２】特開２００３−３１２３２３号公報（段落００２６）
【特許文献３】特開２００３−５２００５号公報（段落０００４、段落０００５）
【発明の開示】
【発明が解決しようとする課題】
【０００６】
このように電子番組情報に基づいて所望の番組を検索し、検索した番組を録画予約する機能を有する従来の記録再生装置は、重複する記録番組のいずれかを削除することは出来るが、削除する番組の基準に臨時ニュース、緊急警報放送等のテロップが入っている番組、すなわち電子番組情報からは判別がつかない付加情報が重畳された番組が含まれていなかった。
【０００７】
本発明の目的は重複するタイトルの番組の中で、電子番組情報からは判別がつかない付加情報が重畳された番組を削除する番組予約録画装置及び番組予約録画方法を提供することにある。
【課題を解決するための手段】
【０００８】
本発明によれば、以下に示す態様が実現される。
【０００９】
（１）電子番組情報に基づいて所望の番組を検索し、検索した番組を録画予約する機能を有する番組予約録画装置において、録画した番組の電子番組情報に基づいて、重複して録画されている同一タイトルの複数の番組を抽出する手段と、前記抽出手段により抽出された複数の番組の中で、電子番組情報に記載されていない付加情報が番組に重畳されている番組を削除する手段とを具備する番組予約録画装置。
【００１０】
（２）電子番組情報に基づいて所望の番組を検索し、検索した番組を録画予約する機能を有する番組予約録画方法において、録画した番組の電子番組情報に基づいて、重複して録画されている同一タイトルの複数の番組を抽出するステップと、前記抽出ステップにより抽出された複数の番組の中で、電子番組情報に記載されていない付加情報が番組に重畳されている番組を削除するステップとを具備する番組予約録画方法。
【発明の効果】
【００１１】
以上説明したように本発明によれば、電子番組情報に基づいて所望の番組を検索し、検索した番組を録画予約する機能を有する番組予約録画装置において、臨時ニュースを知らせるテロップ等が重畳された番組を自動的に削除することができ、記憶媒体を有効に利用することができる。
【発明を実施するための最良の形態】
【００１２】
以下、図面を参照してこの発明の実施形態を説明する。
【００１３】
図１は、本発明の実施形態に係る番組予約録画装置の概略構成を示すブロック図である。
【００１４】
図１の番組予約録画装置は、マイクロコンピュータブロック３０、エンコーダ部５０、デコーダ部６０を備えている。
【００１５】
マイクロコンピュータブロック３０は、図示しないＭＰＵ（マイクロプロセッシングユニット）、またはＣＰＵ（セントラルプロセッシングユニット）を有し、番組予約録画装置の各ブロックの動作を制御する。マイクロコンピュータブロック３０は、制御プログラム等が書きこまれたＲＯＭ、プログラム実行に必要なワークエリアを提供するためのＲＡＭ等を備えている。
【００１６】
マイクロコンピュータブロック３０は、再生制御部３１１、記録制御部３１２、予約録画制御部３１３を有する。再生制御部３１１は、受信した放送番組データや記憶媒体に記憶された番組データの再生処理を制御する。記録制御部３１２は、番組データの記憶媒体への記録処理を制御する。予約録画制御部３１３は、番組の予約録画処理の制御を行う。また、マイクロコンピュータブロック３０は、後述する番組情報管理部３２１、録画番組情報管理部３２２、画面表示制御部３２６も備えている。このマイクロコンピュータブロック３０は、ネットワークインターフェース３０ａを介して外部ネットワークに接続するも可能である。
【００１７】
マイクロコンピュータブロック３０には、記憶再生装置を操作するための操作信号が、キー操作入力部４４から入力される。このキー操作入力部４４は、例えば番組予約録画装置の本体上に設けた操作スイッチ類、あるいはリモートコントローラ等である。有線通信、無線通信、光通信あるいは赤外線通信等によってこの番組予約録画装置に接続されるパーソナルコンピュータが、キー操作入力部４４として採用されてもよい。キー操作入力部４４は、決定キー、再生キー、停止キー、終了キー、録画キー、カーソルキーなど各種の操作キーを備えている。ユーザはこのキー操作入力部４４を操作して、受信もしくは入力された映像信号や音声信号の記録処理、記憶媒体に記憶されたコンテンツの再生処理、あるいは記憶媒体に記憶されたコンテンツに対する編集処理等の実行を指示することができる。
【００１８】
マイクロコンピュータブロック３０のＭＰＵ（またはＣＰＵ）の実行結果のうち、ユーザに通知すべき内容は、表示部４３に表示されるか、またはモニターディスプレイ３００１にＯＳＤ（オンスクリーンディスプレイ）表示される。
【００１９】
図１に示す番組予約録画装置は、記憶媒体（情報記憶媒体）としてＨＤ  ＤＶＤ、ブルーレイディスク、ＤＶＤなどの光ディスクとハードディスクの双方を取り扱うことができる。これらのハードディスクや光ディスクは、半導体メモリ等の他の記憶媒体と置換（あるいは併用）されてもよい。
【００２０】
この番組予約録画装置は、光ディスクドライブ部１００２と、ハードディスクドライブ部２００１の２種類のディスクドライブ部を有する。光ディスクドライブ部１００２は、光ディスク１００１に対する回転制御系、レーザ駆動系、光学系などを有し、光ディスク１００１を回転駆動して情報の読み書きを行う。またハードディスクドライブ部２００１は、ハードディスクを駆動し、情報の読み書きを実行する。
【００２１】
データプロセッサ部１００３は、バッファ回路、変調・復調回路、エラー訂正部等を備えており、所定の記録単位または再生単位のデータを取り扱う。データプロセッサ部１００３は、光ディスクドライブ部１００２及びハードディスクドライブ部２００１に記録データを供給する。また、データプロセッサ部１００３は、光ディスクドライブ部１００２及びハードディスクドライブ部２００１により読み出された再生データを受け取る。
【００２２】
データプロセッサ部１００３は、記憶媒体に記憶されている番組データを構成するビデオオブジェクトの一部を削除したり、異なる複数の番組のビデオオブジェクトをつなげたり、といった編集処理を、マイクロコンピュータブロック３０の指示に応じて行うこともできる。
【００２３】
エンコーダ部５０には、ＡＶ入力部４１ａからの外部アナログビデオ信号と外部アナログオーディオ信号、または地上波アナログチューナ４１ｂ、地上波デジタルチューナ４１ｃ、衛星デジタルチューナ４１ｄあるいは衛星アナログチューナ４１ｅからの放送受信信号（１つまたは複数）が選択的に入力する。スイッチ（信号セレクタ）５３は、マイクロコンピュータブロック３０の制御に従って、エンコーダ部５０に入力する信号系統を切り換える。
【００２４】
エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、字幕や絵柄をビットマップデータで表す副映像のエンコーダも適宜含むことができる。
【００２５】
また、エンコーダ部５０は、トランスポートストリーム処理部及び複数のＭＰＥＧエンコーダを含む。エンコーダ部５０に含まれるＭＰＥＧビデオエンコーダは、入力されるデジタルビデオ信号を、ＭＰＥＧ２またはＭＰＥＧ１規格に基づいた可変ビットレートで圧縮し、ハードディスクまたは光ディスクに記録可能なデジタルビデオ信号へ変換する。デジタルオーディオ信号は、ＭＰＥＧまたはＡＣ−３規格に基づいて固定ビットレートで圧縮されたデジタルオーディオ信号、あるいは非圧縮のリニアＰＣＭのデジタルオーディオ信号に変換される。
【００２６】
エンコーダ部５０に、副映像信号がＡＶ入力部４１ａから入力した場合（例えば副映像信号の独立出力端子付ＤＶＤビデオプレーヤからの信号入力など）、あるいは副映像信号が含まれたＤＶＤビデオ信号が、地上波アナログチューナ４１ｂ、地上波デジタルチューナ４１ｃ、衛星デジタルチューナ４１ｄまたは衛星アナログチューナ４１ｅを介してエンコーダ部５０に入力された場合は、エンコーダ部５０に入力した副映像信号は副映像エンコーダでエンコード（ＤＶＤ規格に基づくランレングス符号化）されて副映像のビットマップデータとなる。
【００２７】
フォーマッタ５１は、バッファメモリ５２をワークメモリとして、エンコードされたデジタルビデオ信号、デジタルオーディオ信号、副映像データを所定のフォーマットに変換する。すなわち、フォーマッタ５１は、エンコードされたデジタルビデオ信号、デジタルオーディオ信号、副映像データをパック化して、ビデオパック、オーディオパック、副映像パックとし、さらにこれらを集合して、ＤＶＤビデオ規格で規定されたフォーマット（ＤＶＤ−Ｖｉｄｅｏフォーマット）や、ＤＶＤ-レコーディング規格で規定されたフォーマット（ＤＶＤ−ＶＲフォーマット）に変換する。ただしデジタル放送のトランスポートストリーム（ＭＰＥＧ２−ＴＳ）をストリーム記録する場合には、フォーマット変換は必要ない。
【００２８】
なお、圧縮された（エンコード済みの）デジタルビデオ信号やデジタルオーディオ信号が、エンコーダ部５０に直接入力される場合は、エンコード処理を行わずに、入力信号を直接フォーマッタ５１に供給することもできる。また、エンコーダ部５０は、デジタル変換されたデジタルビデオ信号やデジタルオーディオ信号を、ビデオミキシング部７１やオーディオセレクタ７６に直接供給することもできる。
【００２９】
フォーマッタ５１によってフォーマット変換された情報（ビデオ、オーディオ、副映像データなどのパック）は、データプロセッサ部１００３を介してハードディスクドライブ部２００１および／または光ディスクドライブ部１００２に供給され、ハードディスクや光ディスク１００１等の記憶媒体に記録される。また、ハードディスクあるいは光ディスク１００１に記録された情報を、データプロセッサ部１００３、光ディスクドライブ部１００２を介して、光ディスク１００１あるいはハードディスクに記録することもできる。
【００３０】
記憶媒体に情報を記録する場合、フォーマッタ５１は、切り分け情報を作成して定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などが含まれる。
【００３１】
また、記憶媒体に情報を記録する際には、マイクロコンピュータブロック３０のＭＰＵは、当該記録される情報を再生するのに必要な管理情報を作成する。ＭＰＵは、記録終了のコマンドを認識すると、作成した管理情報をデータプロセッサ部１００３に送る。これにより、管理情報が記憶媒体に記録される。
【００３２】
記憶媒体に記憶された録画番組を途切れることなく再生するために、データプロセッサ部１００３がアクセス（シーク）する録画番組データの最低限連続する情報単位（サイズ）が予め決められている。この情報単位の記憶エリアをＣＤＡ（コンティギュアス・データ・エリア）という。ＣＤＡサイズは、ＥＣＣ（エラー訂正コード）ブロック（１６セクタ）の倍数であり、データの記憶はこのＣＤＡ単位で行われる。データプロセッサ部１００３は、エンコーダ部５０からＶＯＢＵ単位のデータを受け取り、ＣＤＡ単位のデータを光ディスクドライブ部１００２あるいはハードディスクドライブ部２００１に供給する。
【００３３】
エンコーダ部５０が、例えば２つのＭＰＥＧエンコーダを含む場合、エンコーダ部５０は２系統の信号をエンコード処理することが可能である。例えば、地上波アナログチューナ４１ｂで受信した番組をハードディスクドライブ部２００１でＤＶＤ−ＶＲ録画し、同時に、衛星アナログチューナ４１ｅで受信した番組を光ディスク１００１でＤＶＤ−ＶＲ録画するといった処理を行うことができる。
【００３４】
また、トランスポートストリームから抽出したパケットエレメンタリーストリームがエンコーダ部５０から直接ハードディスクドライブ部２００１のハードディスクに記録される場合もある。エンコーダ部５０が１つのＭＰＥＧエンコーダしか持たない場合でも、地上波デジタルチューナ４１ｃまたは衛星デジタルチューナ４１ｄを介してエンコーダ部５０に入力された番組データ（ＭＰＥＧ２−ＴＳ）をハードディスクドライブ部２００１でストリーム記録し、同時に、他のチューナを介して入力される放送番組データを、この１つのＭＰＥＧエンコーダによってエンコード処理することも可能である。
【００３５】
デコーダ部６０は、図示しないセパレータ、ビデオデコーダ、副映像デコーダ、オーディオデコーダ、ビデオプロセッサを備えている。セパレータは、パック構造を持つＤＶＤフォーマットの信号から各パックを分離して取り出す。ビデオデコーダは、セパレータによって分離された主映像データ（ビデオパックの内容）のデコード処理を行う。副映像デコーダは、セパレータによって分離された副映像データ（副映像パックの内容）のデコードを行う。セパレータによって分離されたオーディオデータ（オーディオパックの内容）はオーディオデコーダによってデコードされる。ビデオプロセッサは、デコードされた主映像にデコードされた副映像を適宜合成し、主映像にメニュー、ハイライトボタン、字幕やその他の副映像を重ねて出力する。デコーダ部６０はさらに、パック分離やその他の信号処理実行時に使用されるメモリを有する。
【００３６】
デコーダ部６０から出力されるビデオ信号は、ビデオミキシング部７１に入力される。ビデオミキシング部７１は、例えばテキストデータの合成を行う。またビデオミキシング部７１には、ＡＶ入力部４１aや地上波アナログチューナ４１ｂ地上波デジタルチューナ４１ｃ、衛星デジタルチューナ４１ｄ、衛星アナログチューナ４１ｅからの信号を直接取り込むラインもまた接続されている。ビデオミキシング部７１には、バッファとして用いるフレームメモリ７２が接続されている。ビデオミキシング部７１から出力されるビデオ信号は、Ｉ／Ｆ（インタフェース）７３を介して外部出力される。あるいは、ビデオミキシング部７１から出力されるビデオ信号は、デジタルアナログ変換器７４によってアナログ変換され、モニターディスプレイ３００１に出力される。
【００３７】
デコーダ部６０から出力されるオーディオ信号は、セレクタ７６を介してデジタルアナログ変換器７７に入力する。デジタルアナログ変換器７７は、デジタルオーディオ信号をアナログ変換し、外部（例えばスピーカ）に出力する。セレクタ７６は、マイクロコンピュータブロック３０からのセレクト信号により制御され、チューナ４１ｂ〜４１ｅやＡＶ入力部４１aからのデジタル信号を直接モニタする時、エンコーダ部５０をスルーした信号を直接選択することも可能である。
【００３８】
なお、マイクロコンピュータブロック３０は、ＳＴＣ（システムタイムクロック）３８からの時間データに基づいて、光ディスクドライブ部１００２、ハードディスクドライブ部２００１、データプロセッサ部１００３、エンコーダ部５０、デコーダ部６０などを制御する。録画や再生の動作は、通常はＳＴＣ３８からのタイムクロックに同期して実行されるが、それ以外の処理はＳＴＣ３８とは独立したタイミングで実行されてもよい。
【００３９】
マイクロコンピュータブロック３０は、地上波アナログ放送の電子番組サービス（東京地区ではＡＤＡＭＳ：TV-Asahi Data and Multimedia Service）あるいは地上波／衛星デジタル放送の電子ガイド情報／電子番組ガイド（ＥＰＧ）サービスを利用して、電子番組表情報（放送番組だけでなく種々な情報サービスも含む）を定期的、例えば毎時毎に取得することができる。また、ネットワークＩ／Ｆ３０ａ、ネットワークＮＴを介して図示しない外部のサーバから電子番組案内情報（ＤＥＰＧ）を取り込むことも可能である。
【００４０】
取得された電子番組表情報は、番組情報管理部３２１によって管理される。番組情報管理部３２１は、マイクロコンピュータブロック３０が有するＲＯＭに番組情報管理テーブルを設けて、電子番組表情報を管理する。
【００４１】
予約録画制御部３１３はモニターディスプレイ３００１に予約画面を表示して、キー操作入力部４４を介したユーザの操作により録画予約する番組を設定可能であると共に、電子番組表情報をキーワード検索して、ユーザの嗜好に合った番組を自動的に予約可能である。例えば、タイトルを指定して毎週決まった時間に放送されるシリーズものの番組や好きな役者の出演する番組等を自動的に全て予約することができる。ただし、前述したように、キーワード検索の結果に基いて自動的に予約する場合は、同一のタイトルの番組が複数回放送されても区別がつかず、同一のタイトルが重複して予約されることがある。
【００４２】
ハードディスクや光ディスク等の記憶媒体に記録された録画済み番組の情報は、録画番組情報管理部３２２によって管理される。録画番組情報管理部３２２は、マイクロコンピュータブロック３０が有するＲＯＭに、図２に示すような録画済み番組情報テーブルを設けて、録画済み番組の情報を管理する。図２の例では、録画済み番組の番組名（タイトル）、録画開始日時、録画終了日時、放送チャンネル、ハイビジョンフラグ、テロップフラグ、削除フラグ等のデータが記憶されている。なお、図２のテロップフラグ、削除フラグ以外のデータは録画終了時に書き込まれるが、テロップフラグ、削除フラグは後述する重複タイトル削除動作の際に書き込まれる。
【００４３】
図３は重複タイトル削除動作に係るマイクロコンピュータブロック３０のフローチャートである。
【００４４】
ブロック＃１２でその日の予約番組の最後の番組の録画が終了したか否かを判定する。この判定は削除動作を開始するタイミングを決めるためのものであるが、開始タイミングはこれに限定されない。
【００４５】
ブロック＃１４で図２に示すような録画済み番組情報テーブルから１つの録画番組のタイトルを読み出す。ブロック＃１６で当該タイトルと残りの録画済み番組のタイトルとを比較する。ブロック＃１８で重複するタイトルがあるか否か判定する。図２の録画済み番組情報テーブルの例では、「ＡＡドラマ第１回」という番組が３つ重複して録画され、「ＡＡドラマ第２回」という番組が３つ重複して録画されている。
【００４６】
重複するタイトルがあると判定された場合は、いずれか１つのタイトルを残して他は削除する。本実施形態では、臨時ニュース、緊急警報放送等のテロップが入っているタイトルを優先的に削除する。そのため、重複して録画されたタイトルの中にテロップを含むタイトルがあるか否かをブロック＃２０で判定する。具体的には、画像データ中に字幕・テキストがあるか否かを調べる。番組中にテロップを流す前には視聴者の注意を喚起するために特定のチャイムを鳴らすのが普通であるので、音声データがこの特定のチャイムを含んでいるか否かを調べても良い。さらに、緊急警報放送の場合は、その放送の前に緊急警報信号が送信されるので、その警報信号の有無を調べてもよい。
【００４７】
ブロック＃２２でテロップを含むタイトルを削除する。次に、ブロック＃１８の処理に戻る。
【００４８】
ブロック＃２０で重複タイトルの中にテロップを含むタイトルが無いと判定された場合は、ブロック＃２４で次の削除の基準を適用する。重複タイトルの中に解像度の異なるタイトルがある場合は、解像度の低いタイトルを削除する。大雨等の気象条件によって衛星放送が受信・録画できなかった場合は、一部分が録画できなかったタイトルを削除する。解像度の低いタイトルは録画済み番組情報テーブルのハイビジョンフラグに基づいて、一部分が録画できなかった番組は録画済み番組情報テーブルの録画開始時刻から録画終了時刻までの録画時間に基づいて判断できる。ブロック＃２４でこれらの基準に該当するタイトルを削除する。
【００４９】
ブロック＃２６でさらに重複タイトルが残っているか否か判定する。残っている場合は、ブロック＃２８でさらに別の基準に従って削除する。別の基準は何でも良いが、例えば録画日時が最近のもの、所定の放送チャンネルのもの等を残し、他は削除することが考えられる。ブロック＃２８の実行後は、重複タイトルは存在しない。
【００５０】
ブロック＃３０で録画済み番組情報テーブルの全てのタイトルについて調べたか否か判定する。調べていないタイトルが残っている場合は、ブロック＃１４の処理に戻る。なお、ブロック＃１８またはブロック＃２６で重複タイトルが無いと判定された場合は、ブロック＃３０の処理が実行される。
【００５１】
図２の例では、Ｎｏ．３の「ＡＡドラマ第１回」はテロップを含むのでブロック＃２２の処理で削除され、Ｎｏ．２の「ＡＡドラマ第１回」は解像度が低いのでブロック＃２４で削除される。同様に、Ｎｏ．４の「ＡＡドラマ第３回」はテロップを含むのでブロック＃２２の処理で削除され、Ｎｏ．５の「ＡＡドラマ第３回」は一部分が録画できなかった（録画時間がＮｏ．６より短い）のでブロック＃２４で削除される。
【００５２】
以上説明したように、第１の実施の形態によれば、電子番組情報に基づいて所望の番組を検索し、検索した番組を録画予約する機能を有する記録再生装置において、定期的に重複する同一タイトルの録画番組の有無を調べ（ブロック＃１２、＃１４）、重複して録画された番組がある場合は、臨時ニュース、緊急警報放送等のテロップが入っている番組を優先的に削除する。これにより、電子番組情報からは判別がつかない付加情報が重畳された番組を削除することができ、記憶媒体を有効に利用することが出来る。さらに重複番組がある場合は、解像度の低いタイトル、一部分が録画できなかったタイトルを削除することにより、所望の番組を自動的に残すことができる。
【００５３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。例えば、上述の説明では、所定の基準を満たす重複タイトルは自動的に削除したが、適時のタイミングで確認のメッセージを表示し、ユーザの承認を受けてから削除するようにしても良い。ブロック＃２２でテロップを含むタイトルを削除する際、重複する全てのタイトルがテロップを含み場合はいずれか１つは残すように変形することが好ましい。
【００５４】
また、本発明は、コンピュータに所定の手段を実行させるための（あるいはコンピュータを所定の手段として機能させるための、あるいはコンピュータに所定の機能を実現させるための）プログラムを記録したコンピュータ読取り可能な記録媒体としても実施することもできる。
【図面の簡単な説明】
【００５５】
【図１】本発明の番組予約録画装置の一実施形態を示す図。
【図２】一実施形態の録画済み番組情報テーブルを示す図。
【図３】一実施形態の重複タイトル削除動作を示すフローチャート。
【符号の説明】
【００５６】
１００１…光ディスク、１００２…光ディスクドライブ部、１００３…データプロセッサ部、２００１…ハードディスクドライブ部、３０…マイクロコンピュータブロック、４１ｂ…地上波アナログチューナ、４１ｃ…地上波デジタルチューナ、４１ｄ…衛星デジタルチューナ、４１ｅ…衛星アナログチューナ、５０…エンコーダ部、５１…フォーマッタ、６０…デコーダ部、３１１…再生制御部、３１２…記録制御部、３１３…予約録画制御部、３２１…番組情報管理部、３２２…録画番組情報管理部、３２６…画面表示制御部、３００１…モニターディスプレイ。
【図１】
2009135606.tif 000003
【図２】
2009135606.tif 000004
【図３】
2009135606.tif 000005